(57)【要約】【課題】対向する作業台本体の間にステージ板を連結した可搬式作業台であっても、そのままの状態で伸縮脚の長さを調整しようとする作業台本体だけを浮かせることができ、天板の高さ調整作業が少ない人数で容易に行えるようにした。【解決手段】下方に向かって外側に傾斜する一対の主脚間に天板を取り付けた作業台の一対を間隔を存して対向させ、この一対の作業台本体間にステージ板を連結する可搬式作業台の、前記作業台本体とステージ板との連結構造において、作業台本体側の端部にシャフト１０を端縁と平行に突設し、ステージ板４端部に前記シャフト１０が嵌入する嵌合溝８を下向きに形成し、シャフト１０に嵌合溝８を回動自在に嵌合する。【選択図】        図１
2010196341.tif 000002
【特許請求の範囲】
【請求項１】
下方に向かって外側に傾斜する一対の主脚間に天板を取り付けた作業台の一対を間隔を存して対向させ、この一対の作業台本体間にステージ板を連結する可搬式作業台の、前記作業台本体とステージ板との連結構造において、作業台本体側の端部にシャフトを端縁と平行に突設し、ステージ板側の端部に前記シャフトが嵌入する嵌合溝を下向きに形成し、シャフトに嵌合溝を回動自在に嵌合することを特徴とする可搬式作業台のステージ板連結構造。
【請求項２】
前記嵌合溝は、チャンネル状の接続金具に切欠きとして形成され、前記シャフトを嵌合溝内に保持する外れ防止片が接続金具に回動自在に取り付けられる請求項１記載の可搬式作業台のステージ板連結構造。
【請求項３】
前記嵌合溝は、フックに形成される切欠きである請求項１記載の可搬式作業台のステージ板連結構造。
【発明の詳細な説明】
【技術分野】
【０００１】
本発明は、可搬式作業台のステージ板連結構造に関するものである。
【背景技術】
【０００２】
可搬式作業台は、例えば図６に示すように、下方に向かって外側に傾斜する一対の梯子状の主脚１間に天板２を取り付けたものであるが、この作業台を本体３として図７に示すように一対の本体３を間隔を存して対向させ、本体３間に複数のステージ板４を架設して可搬式作業台をステージとして構成する場合がある。
【０００３】
ステージとして可搬式作業台を使用する場合、ステージ板４の端部を天板２の側部に連結する必要があるが、連結構造として、従来は例えば図５に示すようにステージ板４の端部の上側から連結突片２１を突出させ、この連結突片２１の下部から下方に向けて連結ピン２２を突設し、他方、天板２の側端にピン孔２３を形成し、この連結突片２１を天板２の上に重ねて、ピン孔２３に連結ピン２２を差し込んでステージ板４を天板２に連結している。
【０００４】
このようなピン結合による連結構造の場合、連結ピン２２をピン孔２３に上から挿入しただけであるから、はずみなどでステージ板４が持ち上がるなどすると、ステージ板４が天板２から外れるおそれがある。
【０００５】
そこで、図５に示すように外れ防止金具２４を回転可能にかつバネ２５の弾力で上下動自在にステージ板４の下部に取り付け、この外れ防止金具２４をバネ２５の弾力に抗して下方に引張り、回動することでステージ板４と天板２との連結箇所で双方に跨らせるようにしてあてがい連結ピン２２がピン孔２３から抜け出さないようにロックしている。図５ａはロック状態、図５ｂはロック解除状態である。
【０００６】
前記従来技術は当業者間に一般的に行われているものであり、文献公知発明にかかるものではない。
【発明の開示】
【発明が解決しようとする課題】
【０００７】
作業床である天板２の作業高さ位置が変えられるように、主脚１の支柱６の下部を二重管構造として伸縮脚５を下方に伸縮自在に設けたものがあり、天板２の高さ位置を変更するにはこの伸縮脚５を伸縮する。
【０００８】
この伸縮脚５の伸縮作業は、作業台本体３にステージ板４を連結した構成とした場合でも同様であり、作業台本体３を浮かせた状態で伸縮脚５を伸ばしたり縮めたりして、目的の作業床高さに伸縮脚５の長さを調整する。そして、この調整作業は、全ての主脚１で行う。
【０００９】
伸縮脚５の長さ調整のため作業台本体３を浮かせたとき、作業台本体３に連結されているステージ板４も同時に浮き上がるが、浮き上がりの角度が小さい場合には作業台本体３を浮かせるとこれに追随してステージ板４も回転するので、大きな力がなくても作業台本体３は浮き上がる。
【００１０】
ところが浮き上がりの角度が大きくなると、ステージ板４と天板２の下面を同一平面で押さえている外れ防止金具２４の存在により、作業台本体３の浮き上がりに対してステージ板４が回転では追随できなくなり、浮かせようとした作業台本体３に対向する反対側の別の作業台本体３まで同時に持ち上げないと伸縮脚５の長さ調整を行う当該作業台本体３を浮かせることができなくなる。
【００１１】
このように作業台本体３を浮かせて伸縮脚５の長さ調整を行う際、伸縮脚５の調整を行う当該作業台本体３とステージ板４と、対向するもう一方の作業台本体３の重量の一部を持ち上げないと、当該作業台本体３が浮かなくなり、天板２の高さを変更する作業は、伸縮脚５の１脚の長さを変更するだけでも一人では作業が困難で、２〜３人がかりの作業になり、作業性がよくないものであった。
【００１２】
本発明は、前記従来例の不都合を解消するものとして、対向する作業台本体の間にステージ板を連結した可搬式作業台であっても、そのままの状態で伸縮脚の長さを調整しようとする作業台本体だけを浮かせることができ、天板の高さ調整作業が少ない人数で容易に行えるようにした可搬式作業台のステージ板連結構造を提供するものである。
【課題を解決するための手段】
【００１３】
請求項１記載の本発明は、下方に向かって外側に傾斜する一対の主脚間に天板を取り付けた作業台の一対を間隔を存して対向させ、この一対の作業台本体間にステージ板を連結する可搬式作業台の、前記作業台本体とステージ板との連結構造において、作業台本体側の端部にシャフトを端縁と平行に突設し、ステージ板側の端部に前記シャフトが嵌入する嵌合溝を下向きに形成し、シャフトに嵌合溝を回動自在に嵌合することを要旨とするものである。
【００１４】
請求項１記載の本発明によれば、作業台本体とステージ板との連結は、シャフトに嵌合溝が嵌入する構造となるから、シャフトに対して嵌合溝が回動する。よって、作業台本体に対してステージ板の端部が回動し角度が変更されて結合された状態となる。
【００１５】
よって、例えば対向する２台の作業台本体の間をステージ板で連結した構造で使用する場合、一方の作業台本体に設けてある伸縮脚を伸縮する際に、当該作業台本体を浮かせて持ち上げたとき、ステージ板の当該作業台本体との連結側の端部のみが浮き、他方の作業台本体との連結側は浮かせずにすむから、他方の作業台本体は持ち上げずにすみ、少人数で作業床の高さ変更作業が容易にできる。
【００１６】
請求項２記載の本発明は、前記嵌合溝は、チャンネル状の接続金具に切欠きとして形成され、前記シャフトを嵌合溝内に保持する外れ防止片が接続金具に回動自在に取り付けられることを要旨とするものである。
【００１７】
請求項２記載の本発明によれば、シャフトを嵌合溝に嵌入した常態で、はずれ防止片が嵌合溝の開口を塞ぐから、嵌合後にシャフトが嵌合溝から飛び出すことを防止できる。よって、作業台本体を持ち上げて、シャフトが嵌合溝内で回動したときにはずみなどでシャフトが嵌合溝から外れることを防止でき、作業台本体とステージ板との結合を確実なものにできる。
【００１８】
また、嵌合溝とはずれ防止片とは接続金具に一体に形成したから、構造簡単で、接続金具をステージ板に取り付ければ、嵌合溝と外れ防止片が同時に取り付けられることになり、製造も容易である。
【００１９】
請求項３記載の本発明は、前記嵌合溝は、フックに形成される切欠きであることを要旨とするものである。
【００２０】
請求項３記載の本発明によれば、ステージ板にフックを取り付けるだけで嵌合溝が形成でき、製作も容易である。
【発明の効果】
【００２１】
以上述べたように本発明の可搬式作業台のステージ板連結構造は、対向する作業台本体の間にステージ板を連結した可搬式作業台であっても、作業台本体とステージ板との連結をシャフトと嵌合溝による回動自在な構造としたから、作業台本体に設けてある伸縮脚の長さを調整しようとする場合、当該作業台本体だけを浮かせることができ、他方の作業台本体は持ち上げる必要がないから、作業台本体の天板の高さ調整作業が少ない人数で容易に行えるものである。
【発明を実施するための最良の形態】
【００２２】
以下、図面について本発明の実施形態を詳細に説明する。図１は本発明の可搬式作業台のステージ板連結構造の第１実施形態を示す縦断側面図で、本発明の可搬式作業台も前記した従来例と同様、図７に示すように対向する作業台本体３の間に複数のステージ板４を連結して全体をステージ状のものにして使用する場合であり、作業台本体３には、図６に示すように主脚１の下部に伸縮脚５が二重管構造で伸縮自在に取り付けてあり、作業床である天板２の高さを調節できる構造となっている。
【００２３】
かかる作業台本体３の天板２の側部にこれと平行に連結用のシャフト１０を突設する。図中１１はシャフト１０を天板２に固定するためのクランク形状の連結部材を示す。
【００２４】
ステージ板４側の端部には前記シャフト１０が嵌入する嵌合溝８を下向きに形成し、シャフト１０に嵌合溝８を回動自在に嵌合する。
【００２５】
この嵌合溝８は図１に示す第１実施形態では、鉤状のフック７で形成し、フック７の切欠き部を嵌合溝８とし、このフック７はステージ板４の本体部分に取り付けた連結突片１２に固定してある。
【００２６】
次に動作を説明する。作業台本体３とステージ板４とを図７に示すようなステージ構造に組み上げた状態で使用する場合で、天板２すなわち作業床の高さを変更するには、作業台本体３の伸縮脚５を伸縮することになるが、この場合、作業台本体３を持ち上げて浮かせる。
【００２７】
作業台本体３を持ち上げることにより、天板２とステージ板４との連結部も持ち上がるが、この連結部は嵌合溝８とシャフト１０とのピン結合による回動構造になっているから、シャフト１０が嵌合溝８内で回動し、天板２が持ち上がりシャフト１０が持ち上がる結果、嵌合溝８も持ち上がることになっても、天板２の持ち上がりはシャフト１０と嵌合溝８との回動動作で吸収され、天板２とステージ板４とは持ち上げる前とは異なる角度で結合された状態となり、ステージと板４と他方の作業台本体３との連結部は大きく持ち上がることはない。
【００２８】
よって、伸縮脚５の伸縮を行おうとしている作業台本体３を持ち上げて浮かせたいとき、他方の作業台本体３も同時に持ち上げて浮かせる必要がなく、作業性を向上できる。
【００２９】
図２〜図４は第２実施形態を示し、ステージ板４の側に、切欠きによる嵌合溝８を形成した略コ字形の接続金具１３を取り付けたもので、この接続金具１３には図２に示すシャフト１０が嵌合溝８に嵌入した状態で抜け出ることを阻止する略細長板状の外れ防止片１４が嵌合溝８の上部開口を塞ぐように回動自在に取り付けてある。
【００３０】
天板２の側縁にシャフト１０を突出させて取り付ける構造は第１実施形態と同様である。
【００３１】
次に動作を説明する。第１実施形態と同様、作業台本体３とステージ板４とを図７に示すようなステージ構造に組み上げた状態で使用する場合で、天板２すなわち作業床の高さを変更するには、作業台本体３の伸縮脚５を伸縮することになるが、この場合、作業台本体３を持ち上げて浮かせる。
【００３２】
作業台本体３を持ち上げることにより、天板２とステージ板４との連結部も持ち上がるが、この連結部はステージ板４側の連結突片１２が天板２側の連結部材１１の上に被さる状態で、嵌合溝８内にシャフト１０が嵌入して天板２とステージ板４とはピン結合による回動構造になっている。
【００３３】
また、図４に示すように外れ防止片１４を嵌合溝８と直交する方向に回動することで、外れ防止片１４で嵌合溝８の上部開口を塞ぐことができるから、シャフト１０を嵌合溝８内に保持でき、シャフト１０が嵌合溝８から抜け出ることを阻止できる。
【００３４】
よって、作業台本体３を持ち上げると、シャフト１０が嵌合溝８内で回動し、天板２が持ち上がりシャフト１０が持ち上がる結果、嵌合溝８も持ち上がることになるが、この場合、天板２の持ち上がりはシャフト１０と嵌合溝８との回動動作で吸収され、天板２とステージ板４とは持ち上げる前とは異なる角度で結合された状態となり、ステージと板４と他方の作業台本体３との連結部は大きく持ち上がることはない。
【００３５】
これにより、伸縮脚５の伸縮を行おうしている作業台本体３を持ち上げて浮かせたいとき、他方の作業台本体３も同時に持ち上げて浮かせる必要がなく、天板２の高さ調整の作業性を向上できる。
【図面の簡単な説明】
【００３６】
【図１】本発明の可搬式作業台のステージ板連結構造の第１実施形態を示す縦断側面図である。
【図２】本発明の可搬式作業台のステージ板連結構造の第２実施形態を示す要部であるシャフト部分の斜視図である。
【図３】本発明の可搬式作業台のステージ板連結構造の第２実施形態を示す要部である接続金具の部分の斜視図である。
【図４】本発明の可搬式作業台のステージ板連結構造の第２実施形態を示す要部である接続金具のロック状態の斜視図である。
【図５】従来の可搬式作業台のステージ板連結構造の縦断側面図である。
【図６】可搬式作業台の本体の斜視図である。
【図７】ステージ構造に組み立てた可搬式作業台の斜視図である。
【符号の説明】
【００３７】
１  主脚                        ２  天板
３  作業台本体                  ４  ステージ板
５  伸縮脚                      ５ａ  ロック状態
５ｂ  ロック解除状態            ６  支柱
７  フック                      ８  嵌合溝
１０  シャフト                  １１  連結部材
１２  連結突片                  １３  接続金具
１４  外れ防止片                ２１  連結突片
２２  連結ピン                  ２３  ピン孔
２４  外れ防止金具              ２５  バネ
【図１】
2010196341.tif 000003
【図２】
2010196341.tif 000004
【図３】
2010196341.tif 000005
【図４】
2010196341.tif 000006
【図５】
2010196341.tif 000007
【図６】
2010196341.tif 000008
【図７】
2010196341.tif 000009